(57)【要約】【課題】機能の拡張が図られているカラビナを提供する。【解決手段】本発明のカラビナは、フレーム（１）と、ゲート（８）と、アーム（１８）とを備えている。相互に係合している第２フレーム端部（４）および第２ゲート端部（１０）により構成されている第２揺動軸部（１７）の回りに揺動する。これにより、カラビナの閉状態においてフレーム（１）およびゲート（８）により囲まれる内部空間（１１）の領域に第２ゲート端部（１０）が動かされてカラビナが開かれる。【選択図】  図２
2014500454.tif 000002
【特許請求の範囲】
【請求項１】
カラビナであって、
案内開口部（２）と、前記案内開口部（２）を画定する第１フレーム端部（３）および第２フレーム端部（４）とを有する湾曲したフレーム（１）と、
前記カラビナの閉状態で閉位置にあって前記案内開口部（２）を閉じることにより前記第１フレーム端部（３）および前記第２フレーム端部（４）のそれぞれに第１ゲート端部（９）および第２ゲート端部（１０）のそれぞれを係合させる一方、相互に係合している前記第１フレーム端部（３）と前記第１ゲート端部（９）とにより構成されている第１揺動軸（１６）の回りに第１開位置まで揺動することにより、前記カラビナの閉状態で前記フレーム（１）および前記ゲート（８）により囲まれる内部空間（１１）の領域に前記第２ゲート端部（１０）が動かされて前記カラビナが開かれるように構成されているゲート（８）と、
前記ゲート（８）が終端位置にあるときに閉位置に保持される一方、前記カラビナを開く際に変位可能に構成されているアーム（１８）と、を備え、
相互に係合している前記第２フレーム端部（４）と前記第２ゲート端部（１０）とにより構成されている第２揺動軸（１７）の回りに揺動することにより、前記カラビナの閉状態で前記フレーム（１）および前記ゲート（８）により囲まれる内部空間（１１）の領域に前記第２ゲート端部（１０）が動かされて前記カラビナが他の形態で開かれるように構成されていることを特徴とするカラビナ。
【請求項２】
請求項１記載のカラビナにおいて、
前記アーム（１８）が、前記カラビナの閉状態において前記フレーム（１）および前記ゲート（８）により囲まれている前記内部空間（１１）を通じて設けられていることを特徴とするカラビナ。
【請求項３】
請求項１または２記載のカラビナにおいて、
前記アーム（１８）が、前記案内開口部（２）に対向する前記フレーム（１）のスパイン（５）に対して第１アーム端部において連結され、かつ、前記ゲート（８）に対して第２アーム端部の箇所で連結されていることを特徴とするカラビナ。
【請求項４】
請求項３記載のカラビナにおいて、
前記アーム（１８）が、長穴案内部を通じて、前記ゲート（８）に対して前記第２アーム端部の箇所で連結されていることを特徴とするカラビナ。
【請求項５】
請求項４記載のカラビナにおいて、
前記ゲート（８）が、前記アーム（１８）の前記第２アーム端部が係合する長穴（１９）を有することを特徴とするカラビナ。
【請求項６】
請求項１〜５のうちいずれか１つに記載のカラビナにおいて、
前記アーム（１８）が外力の作用を受けずに前記終端位置にあり、
前記アーム（１８）が前記終端位置において前記ゲート（８）をその閉位置に保持し、
前記アーム（１８）が前記終端位置から、弾性要素（２１）（２２）の復元力に抗して前記ゲート（８）が前記第１開位置にあるような第１終端位置に向かう方向と、前記ゲート（８）が第２開位置にあるような第２終端位置に向かう方向とのそれぞれに変位可能であることを特徴とするカラビナ。
【請求項７】
請求項１〜６のうちいずれか１つに記載のカラビナにおいて、
前記アーム（１８）が、前記フレーム（１）に対して揺動可能、変位可能または揺動可能かつ変位可能に支持されていることを特徴とするカラビナ。
【請求項８】
請求項１〜７のうちいずれか１つに記載のカラビナにおいて、
前記アーム（１８）が変位する際に前記アーム（１８）から前記ゲート（８）に対して作用する力により、前記ゲート（８）が前記第１揺動軸（１６）および前記第２揺動軸（１７）のうちいずれか一方の回りに選択的に揺動して前記カラビナを開くように構成されていることを特徴とするカラビナ。
【請求項９】
請求項１〜８のうちいずれか１つに記載のカラビナにおいて、
相互に係合している前記第１フレーム端部（３）および前記第１ゲート端部（９）における前記第１揺動軸（１６）または相互に係合している前記第２フレーム端部（４）および前記第２ゲート端部（１０）における前記第２揺動軸（１７）が、前記フレーム（１）および前記ゲート（８）のうち一方に対して固定され、かつ、前記フレーム（１）および前記ゲート（８）のうち他方に設けられているスリット（１３）（１３’）に係合するボルト（１２）（１２’）により構成されていることを特徴とするカラビナ。
【発明の詳細な説明】
【技術分野】
【０００１】
本発明は、カラビナに関する。
【背景技術】
【０００２】
作動アームが第１アーム端部において、案内開口部に対向するフレーム部分に支持されているカラビナが提案されている（特許文献１参照）。第２アーム端部が、ゲートの長形状の孔に貫通される等の様式により、ゲートに対して可動に連結されている。アームを作動させることにより、ゲートを開位置に揺動させる力を、第２アーム端部を介してゲートに作用させることができる。
【０００３】
不意の開放からゲートを保護するため、ロッククラッチを備えているカラビナが提案されている（特許文献２〜４参照）。案内開口部に対向するフレーム部分にこのロッククラッチが揺動可能に支持されている。ばね付勢力によって定まる終端位置において、ロッククラッチの自由端がゲートの内側に取り付けられ、ゲートがそれ以上内側に揺動することが防止されている。ロッククラッチの揺動後、ゲートが内側に揺動してカラビナが開かれる。
【０００４】
ザイルなど、作動アームに掛け通されている物を制限する要素を備えているカラビナが提案されている（特許文献５参照）。この構成により、カラビナを破損させるようなカラビナの横方向の負荷が解消される。変位空間を画定する要素は、ゲートと、当該ゲートに対向するフレームスパインとの間の領域に延在している。たとえば当該要素は、フレームのスパインに対して揺動可能に支持され、かつ、その自由端がゲートに取り付けられている。
【０００５】
ゲートに対して可動に支持され、カラビナの閉状態を保持するためのロッククラッチを有するカラビナが提案されている（特許文献６および７参照）。
【先行技術文献】
【特許文献】
【０００６】
【特許文献１】欧州特許条約公開公報  ＥＰ１２２９２５８Ａ２
【特許文献２】仏国特許公開公報  ＦＲ２５３６８０５Ａ１
【特許文献３】仏国特許公開公報  ＦＲ２４３９３３０Ａ
【特許文献４】仏国特許公開公報  ＦＲ２４８５６５８Ａ
【特許文献５】独国特許公開公報  ＤＥ１９８３９８５３Ａ１
【特許文献６】国際公開公報  ＷＯ９１／１３２６４
【特許文献７】墺国特許公報  ＡＴ４００９７６Ｂ
【発明の概要】
【発明が解決しようとする課題】
【０００７】
本発明は、機能の拡張が図られているカラビナを提供することを目的とする。
【課題を解決するための手段】
【０００８】
本発明のカラビナは、案内開口部と、前記案内開口部を画定する第１フレーム端部および第２フレーム端部とを有する湾曲したフレームと、前記カラビナの閉状態で閉位置にあって前記案内開口部を閉じることにより前記第１フレーム端部および前記第２フレーム端部のそれぞれに第１ゲート端部および第２ゲート端部のそれぞれを係合させる一方、相互に係合している前記第１フレーム端部と前記第１ゲート端部とにより構成されている第１揺動軸の回りに第１開位置まで揺動することにより、前記カラビナの閉状態で前記フレームおよび前記ゲートにより囲まれる内部空間の領域に前記第２ゲート端部が動かされて前記カラビナが開かれるように構成されているゲートと、前記ゲートが終端位置にあるときに閉位置に保持される一方、前記カラビナを開く際に変位可能に構成されているアームと、を備えている。
【０００９】
本発明のカラビナは、相互に係合している前記第２フレーム端部と前記第２ゲート端部とにより構成されている第２揺動軸の回りに揺動することにより、前記カラビナの閉状態で前記フレームおよび前記ゲートにより囲まれる内部空間の領域に前記第２ゲート端部が動かされて前記カラビナが他の形態で開かれるように構成されていることを特徴とする。
【００１０】
本発明のカラビナによれば、ゲートが２つの異なる開位置に動かされ、これにより異なる揺動軸の回りに揺動する。ゲートは、その第１開位置において、相互に係合している第１フレーム端部と第１ゲート端部とにより構成されている第１揺動軸の回りに揺動する。ゲートが閉位置にあってカラビナが閉じている状態で係合している第２フレーム端部および第２ゲート端部は、ゲートが第１揺動軸の回りに揺動することにより当該係合から解放される。
【００１１】
ゲートは、その第２開位置において、相互に係合している第２フレーム端部と第２ゲート端部とにより構成されている第２揺動軸の回りに揺動する。ゲートが閉位置にある状態では係合している第１フレーム端部および第１ゲート端部は、ゲートが第２揺動軸の回りに揺動することにより当該係合から解放される。
【００１２】
ゲートが閉位置にあってカラビナが閉じている状態において、アームが始端位置にある。アームは、当該始端位置において、係合状態にある第１フレーム端部および第１ゲート端部により構成されている第１揺動軸、ならびに、係合状態にある第２フレーム端部および第２ゲート端部により構成されている第２揺動軸の回りの揺動に抗してゲートに対して当接し、かつ、第１フレーム端部および第１ゲート端部の係合状態、ならびに、第２フレーム端部および第２ゲート端部の係合状態を維持する。
【００１３】
アームはその中間位置から第１終端位置または第２終端位置に向かって変位可能である。アームの全体的な移動および揺動のうち一方もしくは両方、または、アームの撓みにより当該アームの変位が実現される。当該移動、揺動または撓みは、相互に反対方向である、第１終端位置に向かう方向および第２終端位置に向かう方向への移動によって実現される。
【００１４】
アームが第１終端位置または第２終端位置に向かって移動する際、ゲートが両揺動軸の回りに揺動自由であるのみならず、ゲートを第１揺動軸または第２揺動軸の回りに揺動させる力がゲートに作用する。第２アーム端部が長案内部（＝溝付きリンク案内部）を通じてゲートに対して案内されてもよい。ゲートに長穴（＝溝付きリンク孔）が形成され、アームが第２アーム端部の箇所で当該長穴に挿通されていることが好ましい。
【００１５】
アームが始端位置から第１終端位置に向かって動かされる際、ゲートが第１開位置に向かって揺動する。アームが始端位置から第２終端位置に向かって動かされる際、ゲートが第２開位置に向かって揺動する。アームの始端位置においてゲートが両揺動軸の回りに揺動することが防止され、第１フレーム端部と第１ゲート端部との係合状態および第２フレーム端部と第２ゲート端部との係合状態が維持され、かつ、カラビナが閉状態に維持される。
【００１６】
少なくとも１つのばね弾性要素による復元力に抗して、アームが始端位置から選択的に第１終端位置または第２終端位置に向かって移動することができる。外力が作用していない場合、アームは少なくとも１つのばね弾性要素により始端位置に保持されている。
【００１７】
アームは、第１アーム端部の箇所で案内開口部に対向して延在するフレームのスパインに対して連結され、かつ、第２アーム端部の箇所でゲートに対して連結されている。これにより、カラビナの閉状態において、アームはフレームおよびゲートにより囲まれている内部空間を２つの部分空間に区分する。ゲートが第１開位置に揺動されることにより第１部分空間が開かれる一方、ゲートが第２開位置に揺動されることにより第２部分空間が開かれる。ゲートの第１開位置への揺動および第２開位置への揺動によって、ループまたは固定されたザイルなどを掛け通すための部分空間が交互に切り替えられる。
【００１８】
ゲートの揺動軸の回りの揺動を防止する停止装置が設けられてもよい。ループ等の物がカラビナの一方の部分空間に掛け通され、かつ、ゲートの一方の揺動軸の回りの揺動が防止されている場合、カラビナが掛け通されている物を保持したまま、固定されているザイル等の他の物をカラビナに掛け通すため、ゲートが他方の揺動軸の回りに揺動することにより他方の部分空間が開かれる。ゲートの各揺動軸の回りの揺動を防止するために別個の停止装置が設けられていてもよい。
【００１９】
本発明の詳細は次の添付図面を参照しながら説明される。
【図面の簡単な説明】
【００２０】
【図１】本発明の第１実施形態としてのカラビナの閉状態における正面図。
【図２】ゲートが第１開位置にある状態の図１のカラビナの説明図。
【図３】図２の状態のカラビナをＡ方向に臨んだ際の側面図。
【図４】ゲートが第２開位置にある状態の図１のカラビナの説明図。
【図５】中心からずれた箇所で閉状態のゲートに作用する力に応じて生じる力に関する説明図。
【図６】フレームおよびゲートの開放端部に関する説明図。
【図７】係合状態の端部に設けられている揺動軸の回りに揺動している際のフレームおよびゲートの端部に関する説明図。
【図８】本発明の第２実施形態としてのカラビナの閉状態における正面図。
【図９】本発明の第３実施形態としてのカラビナの閉状態における正面図。
【図１０】本発明の第４実施形態としてのカラビナの閉状態における正面図。
【図１１】ゲートが開位置にある状態の図１０のカラビナの説明図。
【発明を実施するための形態】
【００２１】
複数の実施形態において作用が共通する構成または類似する構成には同一の符号が付されている。
【００２２】
本発明の第１実施形態としてのカラビナが図１〜図７に示されている。カラビナは、案内開口部２を有し、かつ、実質的にＣ字形状に構成されているフレーム１を備えている。案内開口部２は、フレーム１の第１フレーム端部３および第２フレーム端部４の間に配置されている。フレーム１のスパイン５（背柱部）が案内開口部２に対向して配置されている。スパイン５は曲線状に延在している第１フレーム部分６を介して第１フレーム端部３に連結され、第２フレーム端部４は曲線状に延在している第２フレーム部分７を介してスパイン５に連結されている。本実施形態では、第１フレーム部分６および第２フレーム部分７のそれぞれは、第１フレーム端部３および第２フレーム端部４のそれぞれとの境界部分に到るまで湾曲して構成されている。第１フレーム部分６および第２フレーム部分７のうち一方または両方において、２つの曲線状に延在する部分の間に直線状に延在する部分が存在していてもよい。
【００２３】
カラビナの閉状態で案内開口部２を閉じるため、ゲート８（閉塞部材）が用いられる。ゲート８は第１ゲート端部９および第２ゲート端部１０を備え、かつ、本実施形態では前記のように（直線状に）長手方向に延在している。当該長手方向は、スパイン５に対して平行であるが、スパイン５に対して傾斜角度をなしていてもよい。このような非対称的なカラビナは、たとえばクライミングカラビナとして機能する。
【００２４】
ゲートが閉位置にあるカラビナの閉状態において、第１ゲート端部９が第１フレーム端部３に対して係合し、かつ、第２ゲート端部１０が第１フレーム端部３に対して係合している。ゲート８の閉位置においてフレーム１およびゲート８はカラビナの内部空間１１をその全周にわたり閉じた環状に取り囲む。
【００２５】
フレーム１と、ゲート８と、カラビナ開口部を構成しうる内部空間１１とは、同一の平面（カラビナの平面または中間平面）上にある。
【００２６】
第１ゲート端部９および第１フレーム端部３が係合している状態において、フレーム１に対して固定されているボルト１２が、ゲート８において内部空間１１の反対側に開いており、第１ゲート端部９の箇所に形成されているスリット１３に受け止められている。ボルト１２は、２つの側板１４および１５の間に延在し、フレーム１の端部の切欠部を通じて取り外される。第１ゲート端部９は、当該２つの側板１４および１５の間に配置されている。
【００２７】
同様に、第２フレーム端部４および第２ゲート端部１０が係合している。２つの側板１４’および１５’の間に延在しているボルト１２’が、第２ゲート端部１０の箇所に形成され、かつ、ゲート８において内部空間１１の反対側に開いているスリット１３’に受け止められている。第２ゲート端部１０は、当該２つの側板１４’および１５’の間に配置されている。
【００２８】
ボルト１２および１２’が両側で第１フレーム端部３および第２フレーム端部４のそれぞれに設けられている中間ブリッジにより支持されてもよく、そのようなボルト部分が両側で中間ブリッジから突出していてもよい。第１ゲート端部９および第２ゲート端部１０のそれぞれにおいて側板に、中間ブリッジに対して両側で交差するスリット１３および１３’のそれぞれが配置されてもよい。
【００２９】
ボルト１２、１２’がゲート８の端部において当該ゲート８に対して固定され、スリット１３、１３’がフレーム１の端部に設けられているような他の実施形態も可能である。この場合、フレーム１の各端部３、４またはゲート８の各端部９、１０における切欠部により側板が構成され、その間にフレーム１およびゲート８のうち他方の端部が設けられてもよい。フレーム１の端部にスリット１３、１３’が設けられた場合、それらは内部空間１１に対して開くように形成される。
【００３０】
図１に示されている閉状態からカラビナを開くため、ゲート８が第１揺動軸１６または第２揺動軸１７の回りに揺動される。第１揺動軸１６は相互に係合している第１フレーム端部３および第１ゲート端部９により構成されている。第２揺動軸１７は相互に係合している第２フレーム端部４および第２ゲート端部１０により構成されている。図２には、ゲート８が第１揺動軸１６の回りに最大限揺動して第１開位置にある状態が示されている。図４には、ゲート８が第２揺動軸１７の回りに最大限揺動して第２開位置にある状態が示されている。ゲート８が第１揺動軸１６の回りに揺動する際、第２フレーム端部４と第２ゲート端部１０との係合が解除され、第２ゲート端部１０が内部空間１１に向かって変位する。ゲート８が第２揺動軸１７の回りに揺動する際、第１フレーム端部３と第１ゲート端部９との係合が解除され、第１ゲート端部９が内部空間１１に向かって変位する。
【００３１】
第１揺動軸１６および第２揺動軸１７は、フレーム１、ゲート８および内部空間１１が存在する平面（カラビナの主面）に対して垂直に延在している。
【００３２】
ゲート８の閉位置における第１フレーム端部３および第１ゲート端部９の相互係合状態が、第２フレーム端部４および第２ゲート端部１０の相互係合状態と同様に維持されるようにアーム１８が設けられている。アーム１８は第１アーム端部を介してフレーム１のスパイン５に連結され、第２アーム端部を介してゲート８に連結されている。ゲート８が閉位置に保持されているところのアーム１８の始端位置において、ゲート８の揺動軸１６および１７の間の領域においてアーム１８の第２端部がゲート８に対して連結されている。
【００３３】
本実施形態ではアーム１８は、フレーム１のスパイン５に対して第１端部によって揺動するように構成されている。リンク案内部により構成されうる長手案内部を通じてアーム１８とゲート８とが連結され、アーム１８の第２端部がゲート８に形成されている長穴１９に通されている。長穴１９は、アーム１８の揺動軸２０が中心にあるような緩やかな曲線状の軌道を有している。
【００３４】
アーム１８の揺動軸２０は、フレーム１、ゲート８および内部空間１１が存在する平面に対して垂直に、または、揺動軸１６および１７に対して平行に延在している。
【００３５】
アーム１８はスパイン５に対して連結されている一端部と、ゲート８に対して連結されている他端部との中間領域において内部空間１１を第１部分空間１１ａおよび第２部分空間１１ｂに分断するように当該内部空間１１に延在している。カラビナに保持される物体は、フレーム１の案内開口部２を通じて、ゲート８が第１開位置にある状態では第１部分空間１１ａに案内され（図２参照）、ゲート８の第２開位置にある状態では第２部分空間１１ｂに案内される（図４参照）。
【００３６】
図１においてアーム１８は始端位置にある。この状態で、アーム１８はばね要素２１、２２の付勢力に抗して支持されている。ばね要素２１、２２は、たとえば長穴１９の各端部の箇所とアーム１８とに当接している状態で長穴１９に支持されているコイルばねにより構成されている。
【００３７】
図２に示されているようにゲート８が第１開位置にある場合はアーム１８が第１終端位置にあり、図４に示されているようにゲート８が第２開位置にある場合はアーム１８が第２終端位置にある。アーム１８が揺動軸２０の回りに揺動可能に構成されている本実施形態において、アーム１８が揺動軸２０の回りに揺動することにより始端位置から終端位置まで変位する。第１終端位置への揺動方向は、第２終端位置への揺動方向の反対方向である。
【００３８】
対称性を有するカラビナに関する本実施形態において、始端位置が両終端位置の真ん中に位置していることが好ましい。
【００３９】
ゲート８を閉位置に保持するため、アーム１８が、内部空間１１に対して傾斜しているアーム１８の構成面２３と相互作用する。本実施形態では、構成面２３が長穴１９の壁面により構成されている。ゲート８がその揺動軸１６、１７回りに揺動する場合およびゲート８がスパイン５に向かって動く場合、構成面２３においてゲート８がアーム１８に対して当接する。構成面２３の垂線が、アーム１８に対して作用する圧力がフレーム１に伝達し、かつ、本実施形態ではアーム１８の揺動軸２０に伝達するような位置に向かっている。
【００４０】
アーム１８が中間位置から一方の終端位置に移動する際、各終端位置への移動行程全体の３０％以上を占める第１移動行程部分においてゲート８のストッパが閉位置にとどまっている。
【００４１】
アーム１８が一方の終端位置に向かって移動することにより、長穴１９により構成されている長案内部において移動行程の終端に到達する際、アーム１８がその各終端位置に向かって動かされることにより、ゲート８が揺動軸１６、１７の回りにアーム１８に対して揺動し、アーム１８が、第１揺動軸１６（相互に係合している第１フレーム端部３および第１ゲート端部９により構成されている揺動軸）の回りに第１閉位置に向かう方向に動かされ、かつ、第２揺動軸１７（相互に係合している第２フレーム端部４および第２ゲート端部１０により構成されている揺動軸）の回りに第２閉位置に向かう方向に動かされる。
【００４２】
本実施形態では、コイルばねにより構成されているばね要素２１、２２がストッパに当接した際、長穴１９における移動行程の終端に到達する。移動行程の終端において、ゲート８と係合しているアーム１８の第２端部が、ゲート８の各端部１６、１７とアーム１８の揺動軸２０との間の連結線分の近傍まで揺動する（「近傍」とは、当該連結線分に到達するまでの揺動角の９０％以上進んだことを意味する。）。アーム１８の終端位置に向かうさらなる移動により、アーム１８からゲート８に対して作用する力を通じてゲート８が各開位置に向かって変位する。
【００４３】
アーム１８が始端位置から終端位置まで動かされた場合、ゲート８がアーム１８に対して２つの開位置のうち一方まで揺動することにより、カラビナが部分空間１１ａおよび１１ｂのうち一方において開かれる。
【００４４】
図５には、カラビナの閉状態において構成面２３に当接するアーム１８の基体の近傍にあるゲート８の部分に対して、内部空間１１にゲート８を押すような力が作用した場合に出現する力が示されている。反力はアーム１８の基体を通じて構成面２３に伝わり、かつ、第１ゲート端部９との係合箇所を通じて第１フレーム端部３に伝わる。
【００４５】
図６には、能動的な揺動軸１６、１７に対向するゲート８の端部（ここでは第１ゲート端部９）と、第１フレーム端部３との係合が揺動初期に外されうることが示されている。第１フレーム端部３と第１ゲート端部９または第２フレーム端部４と第２ゲート端部１０との係合が解除されることにより、ボルト１２、１２’が、各揺動軸１６、１７を構成するように受け入れられるスリット１３，１３’から外れる。
【００４６】
図７には、第１揺動軸１６等の揺動軸の回りにゲート８が所定角度だけ揺動すると、第１フレーム端部３と相互作用して第１揺動軸１６を構成する第１ゲート端部９と、第１フレーム端部３との係合がそれ以上外れなくなることが示されている。当該角度は５〜２５°の範囲に含まれていることが好ましい。
【００４７】
内部空間１１が第１部分空間１１ａおよび第２部分空間１１ｂに区分されることにより、カラビナに掛け通され、かつ、カラビナを通じて引っ張る力が作用する２つの物の間にカラビナが横切る状態が回避される。（第１フレーム部分６および第２フレーム部分７の領域に掛けられている物がある場合）カラビナから横方向に作用する力は、通常、縦方向に作用する力よりも弱い。
【００４８】
図８には、若干変更された実施形態が示されている。ばね要素２１、２２が長穴１９の内部に配置されているのではなく、一端部がスパイン５に連結され、かつ、他端部が揺動軸２０から離れた箇所でアーム１８に連結されている。アーム１８が長穴１９の各端部に当接した場合、長穴１９におけるアーム１８の両移動方向に対する移動行程の終端に到達する。アーム１８が当該移動方向にさらに移動した場合、ゲート８がアーム１８に対して各開位置に向かう方向に揺動する。この実施形態におけるその他の構成は前記実施形態と同様である。
【００４９】
図９に示されている実施形態は以下の構成を除いて前記実施形態と同様である。
【００５０】
すなわち、アーム１８が弾性および可撓性を有するように構成されている。この実施形態では、ブロックに巻回されているコイルばね２４により当該構成が実現されている。弾性を有するアーム１８の構成は、アーム１８をその始端位置から動かすことに対する復元力を作用させる弾性要素を構成する。アーム１８が該当する方向（カラビナの主面の内側）に動かされることにより、アーム１８が一方の終端位置に向かって動かされる。アーム１８が長穴１９の各端部に当接した場合、長穴１９におけるアーム１８の移動が制限される。ゲート８が一の終端位置に向かってさらに移動することにより、アーム１８がゲート８を相当する揺動軸１６、１７の回りに揺動させる。
【００５１】
ゲート８の閉位置においてアーム１８が、内側への押圧（移動、揺動、または移動および揺動）に抗してゲート８に対して当接する。
【００５２】
この実施形態では、アーム１８は、コイルばね２４と、当該コイルばね２４に取り付けられ、長穴１９に挿通されているピンを有するヘッド２５とを囲んでいる。
【００５３】
ゲート８の閉位置において操作に抗して内側に当接する、弾性および可撓性を有するアーム１８は、別の形態により構成されていてもよい。
【００５４】
図１０および図１１には、本発明のさらに別の実施形態が示されている。当該実施形態において、アーム１８は揺動可能ではなく、フレーム１のスパイン５において変位可能に構成されている。アーム１８は、前記のようにスパイン５に対して変位可能なスリーブ２６を備えている。スリーブ２６はアーム部材２７に対して取り付けられている。スパイン５から離れているアーム部材２７の端部が、前記のように長案内部を介してゲート８に対して連結されている。この実施形態では、長穴１９がゲート８に設けられ、アーム部材２７が当該長穴１９に掛け通されている。
【００５５】
ばね要素２１、２２によりアーム１８が始端位置に保持されている。アーム１８の当該保持状態において、第１ゲート端部９および第２ゲート端部１０のそれぞれが、第１フレーム端部３および第２フレーム端部４のそれぞれと係合し、ゲート８の構成面２３が、スパイン５から離れているアーム端部（アーム１８の端部）に当接する。ばね要素２１、２２は、たとえばスパイン５に設けられているコイルばねにより構成されている。ばね要素２１、２２がスパイン５の内部に配置されていてもよい。
【００５６】
アーム１８の始端位置において、スパイン５から離れているアーム端部が長穴１９において、スパイン５に対して平行に延在している中間領域にある。長穴１９の中間領域において両端部が連続しており、そこにおいて長穴１９が各端部よりもスパイン５から離れている。アーム１８が始端位置から両終端位置のうち一方に向かって動かされ、スパイン５から離れているアーム端部が、長穴１９の中間領域を通過した後で長穴１９の該当する端部に到達し、これによりアームを該当する揺動軸の回りに揺動させる。図１１には、第１フレーム端部３および第１ゲート端部９が係合することにより構成されている揺動軸の回りの揺動の様子が示されている。アーム１８が他方の終端位置に向かって動く際、係合している第２フレーム端部４および第２ゲート端部１０により構成されている第２揺動軸１７の回りにゲート８を揺動させる。
【００５７】
スパイン５から離れているアーム端部が長穴１９の中間領域にある限り、ゲート８が開くことが防止される。
【００５８】
当該実施形態のその他の構成は前記実施形態と同様である。
【００５９】
すべての前記実施形態において本発明の概念を逸脱しない範囲で適当な変更が可能である。
【００６０】
アーム１８の停止位置において始端位置に停止される停止装置（安全装置）がアーム１８に設けられていてもよい。まず、停止装置が自由位置に動かされることにより、アーム１８が両終端位置のうち一方に向かって移動することができる。このようにアーム１８と相互作用する停止装置は、アーム１８の揺動または移動を防止するように構成されている停止レバー、停止リンクまたはこれらの均等物などのさまざまな手段にしたがって実現可能である。アーム１８の各動作方向に個別の停止要素が設けられてもよく、または、両動作方向について機能する一の停止要素が設けられてもよい。
【００６１】
スパイン５から離れているアーム端部は、ゲート８の外部または内部で可動に配置されている部材を通じてゲート８に対して連結されていてもよい。当該部材は一部または全体が曲線状の経路に沿って移動可能に構成され、スパイン５から離れているアーム端部が各実施形態において図示されているような経路等、相応する経路に沿って案内される。スパイン５から離れているアーム端部が当該部材に対して揺動可能に連結されてもよい。
【００６２】
ゲート８に連結されているピンが挿通されている長穴を有し、かつ、ゲート８の方向に拡張している形状のアーム部材が、スパイン５から離れているアーム端部に取り付けられることにより長案内部が構成されていてもよい。図１〜図９に示されている第１実施形態において、当該長穴はゲート８の長穴１９と同じ形状を有していてもよい。図１０および図１１に示されている実施形態において、スパイン５に対して平行に延在している中間領域に連続する当該長穴の端部がスパイン５に近接していてもよい。
【００６３】
本発明は前記実施形態におけるように対称的に構成されているフレーム１のみならず、非対称的なカラビナにも適用されうる。この場合、スパイン５はゲート８の延在方向に対して傾斜して延在している。クライミングカラビナとして用いられるこのような非対称的なカラビナは、特許文献１等に開示されている公知技術である。
【００６４】
相互に係合している第１フレーム端部３および第１ゲート端部９、または、第２フレーム端部４および第２ゲート端部１０は、他の形態の揺動軸１６、１７を構成してもよい。たとえば、一方の端部に、他の端部に設けられている関節窩に係合する関節頭が設けられていてもよい。
【００６５】
前記全ての実施形態において長穴１９は、中間部分が内部空間１１に対して開いていてもよい。すなわち、ゲート８が長穴１９と内部空間１１との間に存在する長穴１９の中間領域に設けられている切欠部を備えていてもよい。当該切欠部の箇所において、アーム１８のためのラッチ機構が設けられていてもよい。閉状態においてラッチ機構は、スパイン５から離れているアーム端部の長穴１９における変位を防止し、かつ、アーム１８をその出口位置に堅固に保持する。開状態においてラッチ機構はアーム１８の変位を許可する。
【符号の説明】
【００６６】
１‥フレーム、２‥案内開口部、３‥第１フレーム端部、４‥第２フレーム端部、５‥スパイン、６‥第１フレーム部分、７‥第２フレーム部分、８‥ゲート、９‥第１ゲート端部、１０‥第２ゲート端部、１１‥内部空間、１１ａ‥第１部分空間、１１ｂ‥第２部分空間、１２，１２’‥ボルト、１３，１３’‥スリット、１４，１４’‥側板、１５，１５’‥側板、１６‥第１揺動軸、１７‥第２揺動軸、１８‥アーム、１９‥長穴、２０‥揺動軸、２１‥ばね要素、２２‥ばね要素、２３‥構成面、２４‥コイルばね、２５‥ヘッド、２６‥スリーブ、２７‥アーム部材。
【図１】
2014500454.tif 000003
【図２】
2014500454.tif 000004
【図３】
2014500454.tif 000005
【図４】
2014500454.tif 000006
【図５】
2014500454.tif 000007
【図６】
2014500454.tif 000008
【図７】
2014500454.tif 000009
【図８】
2014500454.tif 000010
【図９】
2014500454.tif 000011
【図１０】
2014500454.tif 000012
【図１１】
2014500454.tif 000013
【国際調査報告】
2014500454.tif 000014
2014500454.tif 000015
2014500454.tif 000016
2014500454.tif 000017